(57)【要約】      （修正有）【課題】変形プレス機用の簡単な構成のワイヤ供給装置を提供する。【解決手段】外周溝がそれぞれ設けられた下側ガイドディスク３、４及び上側ガイドディスク７、８で構成され、金属ワイヤ供給装置には、ワイヤ供給筒型ガイド２が設けられ、前記上側ディスク７、８及び下側ディスク３、４が、ギアを駆動し該ギアに支持される上側シャフト及び下側シャフトで支持され、前記下側シャフトが駆動制御モータ１５、１６に動作可能に連結され、前記上側ディスク７、８がそれぞれ前記金属ワイヤ供給装置本体に対してスライド可能なスライド１１、１２で支持され、かつ、前記スライドが駆動シリンダピストンユニット１３、１４によって上方及び下方に駆動される、金属ワイヤを保持して供給する金属ワイヤ供給装置１。【選択図】図１
2011230191.tif 000002
【特許請求の範囲】
【請求項１】
金属ワイヤを保持して供給するために、上側ディスク及び下側ディスクで構成された金属ワイヤ供給装置を備えた変形プレス機において、
前記金属ワイヤ供給装置には、ワイヤ供給筒型ガイドが設けられ、
前記上側ディスク及び下側ディスクには、供給される金属ワイヤのための外周溝がそれぞれ設けられ、
前記上側ディスク及び下側ディスクが、ギアを駆動する前記上側支持シャフト及び下側支持シャフトによってそれぞれ支持されていて、前記下側シャフトが駆動制御モータに動作可能に連結されていると共に、前記上側ディスクが前記金属ワイヤ供給装置本体に対してスライド可能なスライドで支持されていて、かつ、
前記スライドが駆動シリンダピストンユニットによって上方及び下方に駆動される
ことを特徴とする金属ワイヤ供給装置を備えた変形プレス機。
【請求項２】
前記プレス機には、交換可能な複数のワイヤガイドが設けられていることを特徴とする請求項１に記載の金属ワイヤ供給装置を備えた変形プレス機。
【請求項３】
前記ディスクがそれぞれ交換可能なディスクとされていると共に、前記供給される金属ワイヤの直径に応じた半径の外周溝が設けられていることを特徴とする請求項１に記載の金属ワイヤ供給装置を備えた変形プレス機。
【請求項４】
前記上側ディスクが、前記スライドによって支持されると共に、水圧式圧縮空気装置式の前記駆動シリンダピストンユニットによって制御可能に移動自在に駆動されることを特徴とする請求項１に記載の金属ワイヤ供給装置を備えた変形プレス機。
【請求項５】
前記下側ディスクが、駆動制御モータによって回転駆動されることを特徴とする請求項１に記載の金属ワイヤ供給装置を備えた変形プレス機。
【請求項６】
前記駆動モータがそれぞれトランスミッションに動作可能に連結されると共に、前記下側ディスクを駆動する前記下側シャフトに、前記トランスミッションがそれぞれ対応して連結され、かつ、前記上側ディスクに支持される前記上側支持シャフトを駆動するために、前記ギアが前記下側シャフトによって支持されていることを特徴とする請求項１に記載の金属ワイヤ供給装置を備えた変形プレス機。
【請求項７】
前記上側ディスクを上方または下方に駆動するために、前記シリンダピストンユニットが前記金属ワイヤ供給装置の制御システムに動作可能に連結されていることを特徴とする請求項１に記載の金属ワイヤ供給装置を備えた変形プレス機。
【請求項８】
前記ディスクを回転駆動させるトランスミッションに、エンコーダ手段などの信号検出出力手段を支持する支持ブラケットが、配置されていることを特徴とする請求項１に記載の金属ワイヤ供給装置を備えた変形プレス機。
【請求項９】
前記下側ディスクが前記駆動制御モータによって直接に駆動されることを特徴とする請求項１に記載の金属ワイヤ供給装置を備えた変形プレス機。
【請求項１０】
前記ワイヤ供給ディスク駆動モータが正逆回転可能な電気モータで構成されていることを特徴とする請求項１に記載の金属ワイヤ供給装置を備えた変形プレス機。
【発明の詳細な説明】
【技術分野】
【０００１】
本発明は、金属ワイヤを保持して供給する装置を備えた変形プレス機に関する。
【背景技術】
【０００２】
切断された被加工物を金属ワイヤコイルから供給する変形プレス機は、すでに知られている。
【０００３】
このような変形プレス機においては、巻きワイヤコイルから切断された金属ワイヤ部材が様々に変形処理されて最終形状製品とされている。
【０００４】
従来の変形プレス機は、所望の長さの金属ワイヤに対応させた変形プレス機を提供するために、切断されたワイヤ部材をプレス機に正確に送り出すための、レバーと、連結ロッドと、差し込み口と、ブレーキ機構と、で構成される。
【発明の概要】
【発明が解決しようとする課題】
【０００５】
従来のプレス機においては、その主駆動シャフトによって動作可能に駆動される多くの機構要素が必要とされるので、駆動装置重量が増加すると共に、プレス金属ワイヤ供給機構の操作ストロークをマイクロメートル単位で調節するという困難が生じる。
【０００６】
また、連結ロッド、レバー、差し込み口、及びブレーキ要素が、装置全体の重量を増加させることとなっている。
【０００７】
したがって、本発明の目的は、前記の連結ロッドと、レバーと、差し込み口と、ブレーキ要素とを有する非常に複雑な機構を無くして前記従来技術の欠点を克服することにより、変形プレス機に供給されるワイヤをマイクロメートル単位で容易に調節することに適した、新規な構成でかつ構成の非常に容易な金属ワイヤ供給装置を提供することにある。
【課題を解決するための手段】
【０００８】
前記の目的は、金属ワイヤを保持して供給する金属ワイヤ供給装置を備えた変形プレス機によって達成される。本発明の金属ワイヤ供給装置を備えた変形プレス機には、ワイヤ供給筒型ガイドが設けられ、前記上側ディスク及び下側ディスクには、供給される金属ワイヤのための外周溝がそれぞれ設けられ、前記上側ディスク及び下側ディスクが、ギアを駆動し該ギアに支持される前記上側シャフト及び下側シャフトによってそれぞれ支持されていて、前記下側シャフトが駆動制御モータに動作可能に連結されると共に、前記上側ディスクが前記金属ワイヤ供給装置本体に対してスライド可能なスライドで支持されていて、かつ、前記スライドが駆動シリンダピストンユニットによって上方及び下方に駆動される。
【０００９】
さらに、本発明の優れている点は、下記の内容、従属の請求項及び添付図面から、さらに明らかになろう。
【００１０】
本発明による発明の要旨が、添付の概略図面を参照して、次に、さらに詳細に開示される。
【図面の簡単な説明】
【００１１】
【図１】金属ワイヤを変形プレス機に送り込む金属ワイヤ供給装置の正面図である。
【図２】図１の金属ワイヤ供給装置で示される矢印ＩＩ―ＩＩに沿って見た断面図である。
【図３】本金属ワイヤ供給装置の背面を示す正面図である。
【発明を実施するための形態】
【００１２】
図１を参照すると、参照番号１で示されるワイヤ送り出し装置または供給装置は、隣接して配列されたそれぞれのディスク３、４、７、８と、複数の交換可能な筒型ガイド２とで構成される。
【００１３】
矢印ｆの方向に筒型ガイド２を介して駆動されるワイヤが、筒型ガイド２を出て、矢印ｇに示すように変形プレス機（図示せず）に搬送される。
【００１４】
装置１の下側部分には、ガイドディスク３及び４が提供される。
【００１５】
ディスク３、４が、それぞれ交換可能でかつ外周溝５、６を備え、その半径は搬送されるかまたは供給される金属ワイヤ（図示せず）の直径によって決まる。
【００１６】
前記ガイドディスク３及び４の上に、交換可能な駆動ディスク７及び９が配置される。
【００１７】
また、ディスク７及び８には、溝９及び１０が設けられ、該溝の寸法は筒型ガイド２を介して供給されるワイヤの直径に適合される。
【００１８】
有利なことに、上側ディスク７及び８が、ガイドすなわちスライドディスク１１及び１２で支持され、２つの矢印ｍで概略示されるように、駆動シリンダピストンユニット１３及び１４によって制御可能に駆動されてもよい。
【００１９】
有利なことに、駆動シリンダピストンユニット１３及び１４が、水圧式圧縮空気制御式に設計される。
【００２０】
このように、ディスク７及び８によって加えられる供給ワイヤＦへの圧力が制御されることも可能である。
【００２１】
ディスク７及び８が、駆動制御モータ１５及び１６によってそれぞれ回転駆動される。
【００２２】
図２は図１の矢印ＩＩ―ＩＩに沿って見た側面図であり、上側ディスク８及びワイヤＦを示しており、上側ディスク８は矢印ｍの方向に制御可能に駆動されてもよいし、またワイヤＦは上側ディスク８の溝１０及び下側ディスク４の溝６に係合されている。
【００２３】
図２はさらに、トランスミッション１７を介してドライブシャフト１８を駆動する駆動モータ１６を示していて、次ぎにドライブシャフト１８はディスク４を駆動すると共にギア１９を介してシャフト２０を駆動し、シャフト２０が上側ディスク８を回転駆動する。
【００２４】
トランスミッション１７には、有利なことに、トランスミッション１７をシャフト１８に対応して固定するキージョイント２１が設けられる。
【００２５】
このように、図２のシリンダピストンユニット１４によって、ディスク８が上方または下方に移動されてもよく、同様にシリンダピストンユニット１３を使ってディスク７を移動操作することもできる。
【００２６】
図３はトランスミッション１７及び２２を備えた装置１を示し、トランスミッションがディスクを回転操作するように設計されており、それが参照番号３及び４で概略に示される。
【００２７】
支持ブラケット２３及び２４がトランスミッション１７及び２２に配置され、次に例えばエンコーダ手段などの信号検出出力手段を支持する。該信号検出出力手段は、ディスク３及び４の回転数、及びそれによる金属ワイヤＦのプレス機（図示せず）へ送り出される長さを機械数値制御システムを介して算出するためである。
【００２８】
これに関して、エンコーダ２５及び２６がやはり省略できることが指摘されるべきである。その一方で、モータ１５及び１６を介して下側ディスク３、４の動作が正確に制御され、有利なことに、該モータが従来の制御及び駆動手段を有する制御モータで構成されると共に、図２の２８に概略が示されるようにプレス機の数値制御システムに連結される。
【００２９】
このように、上記に示した手段によって、ワイヤコイルから供給されたワイヤを変形プレス機に供給することができ、また、ワイヤＦの送り出し時間と経路、及び変形プレス機に搬送される切断ワイヤの長さが高精度に規定される。
【００３０】
さらに、前記電気モータは回転方向が反転できるように設計されることを指摘できる。これにより、ディスクの動作を反転させて、ワイヤを変形プレス機に保持して送り出したり、そこから引き出すこともできる。
【００３１】
従来の変形プレス機では、これとは反対に、ワイヤの往復にはワイヤＦ駆動装置１の上流に別の装置を配置させる必要があった。
【００３２】
このように、本発明により、連結ロッドと、レバーと、差し込み口と、ブレーキ要素とを含めた上述のワイヤ送り出し装置を全て無くして、金属ワイヤを変形プレス機に供給できる。装置は、少しのメンテナンスだけが必要であり、また、シリンダピストンユニット１３、１４及び制御モータ１５、１６を有することで、容易に制御可能であり、かつ、故障時に素早く容易に交換できる。
【図１】
2011230191.tif 000003
【図２】
2011230191.tif 000004
【図３】
2011230191.tif 000005